(57)【要約】      （修正有）【課題】軽量で持ち運びが容易で、収納性の優れた座椅子を提供する。【解決手段】座部がベースの回転機構を介して回転自在に構成され、座部のフレームと背もたれのフレームとがニット材で覆われ、該座部のフレームには背もたれのフレームが傾斜角度調節可能に連結された機構を有する座椅子において、背もたれに孔部が形成し、該孔部に使用者の腕を通して座椅子全体を持ち運びし易く構成し、座部のフレーム上に構成されたウレタン形成品に凹部が形成され、ニット材が伸びて使用者の臀部と低反発ウレタンを介して凹部に密着され使用者の座り心地を良好にして、不使用時には、ニット材の張力によって座部の上面が外観的に平面をなすように構成し、背もたれの横幅を座部の横幅より小さく形成し、不使用時に背もたれを座部方向へ折りたたんだ時に、座部の凹部に背もたれが収まり、収納効率の向上を計る構成とした。【選択図】図２
0003123322.tif 000002
【実用新案登録請求の範囲】
【請求項１】
座部がベースの回転機構を介して回転自在に構成され、座部のフレームと背もたれのフレームとがニット材で覆われ、該座部のフレームには背もたれのフレームが傾斜角度調節可能に連結された機構を有する座椅子において、背もたれに孔部が形成されており、該孔部に使用者の腕を通して座椅子全体を持ち運びし易く構成したことを特徴とする座椅子。
【請求項２】
座部のフレーム上に構成されたウレタン形成品に凹部が形成され、低反発ウレタンが積層されていることを特徴とする請求項１に記載の座椅子。
【請求項３】
使用時には座部のフレーム上に構成されたされたウレタン形成品の凹部に使用者の臀部が嵌まり込み、ニット材が伸びて使用者の臀部と低反発ウレタンを介してウレタン形成品の凹部に密着され使用者の座り心地を良好にすることを特徴とする請求項１に記載の座椅子。
【請求項４】
不使用時には、ニット材の張力によって座部の上面が外観的に平面をなすように構成されたことを特徴とする請求項１に記載の座椅子。
【請求項５】
背もたれの横幅を座部の横幅より小さく形成し、不使用時に背もたれを座部方向へ折りたたんだ時に、座部の凹部に背もたれが収まり、収納効率の向上を計る構成としたことを特徴とする請求項１に記載の座椅子。
【考案の詳細な説明】
【技術分野】
【０００１】  本考案は、座椅子に関するもので、特に簡便な構造で使用勝手がよく、ニット材で全体的に覆ったあとファスナーを介して閉じられるように構成されているので製作上の作業性もよく、すわり心地がよく、足を組んで座るあぐら座りもやり易く、軽量で持ち運びが容易で、背もたれの横幅を座部の横幅より小さく形成してあるので、不使用時に背もたれを座部方向へ折りたたんだ時に、座部の凹部に背もたれが収まり、収納性の優れた座椅子を提供するものである。
【背景技術】
【０００２】  これまで座椅子に関しては多くの考案がなされており、一般に軽量化する目的ではフレームにシート材を覆って構成するものが考案されている。【０００３】  例えば、特開２００２−１７２０３６のような座部や背もたれをネットが張られた構造にしているネット椅子がある。【０００４】
【特許文献１】  特開２００２−１７２０３６号公報
【０００５】  前記せる公報に開示された主な作用は、シートの縁部が溶着と弾性接着剤とによってフレームに固定され、シートの伸びが弾性接着剤によって吸収され、シートの縁部の重なる部分が傾斜面になっているので、溶着面積を大きくすることでシートの取り付け強度を向上させることを特徴としている。また、シートの縁部が広巾面に対して曲がっているためシートの縁部に皺がよることを抑制して、シートの張り加工の手間を軽減するようになしている。
【考案の開示】
【考案が解決しようとする課題】
【０００６】  しかしながら、上述したシートの溶着は非常に手間がかかるものであり、シートの張り加工の手間の軽減及び収納性も不十分なものであった。【０００７】  本考案はこのような事情に鑑みてなされ、更に使用勝手のよい座椅子を改良し、不可価値を高めたものである。本考案の座椅子はニット材で全体的に覆われており、製作上の作業性もよく、すわり心地がよく、足を組んで座るあぐら座りもやり易く、軽量で持ち運びが容易で、更に収納性に優れた座椅子を提供するものである。
【課題を解決するための手段】
【０００８】  このような目的に応えるために本考案に係る座椅子は、座部がベースの回転機構を介して回転自在に構成され、座部のフレームと背もたれのフレームとがニット材で覆われ、該座部のフレームには背もたれのフレームが傾斜角度調節可能に連結された機構を有する座椅子において、背もたれに孔部が形成されており、該孔部に使用者の腕を通して座椅子全体を持ち運びし易く構成したことを特徴とし、座部のフレーム上に構成されたウレタン形成品に凹部が形成され、低反発ウレタンが積層されていることを特徴とし、使用時には座部のフレーム上に構成されたウレタン形成品の凹部に使用者の臀部が嵌まり込み、ニット材が伸びて使用者の臀部と低反発ウレタンを凹部に密着され使用者の座り心地を良好にすることを特徴とし、不使用時には、ニット材の張力によって座部の上面が外観的に平面をなすように構成されたことを特徴とし、且つ、背もたれの横幅を座部の横幅より小さく形成し、不使用時に背もたれを座部方向へ折りたたんだ時に、座部の凹部に背もたれが収まり、収納効率の向上を計る構成としたことを特徴とする座椅子を提供するものである。
【考案の効果】
【０００９】  以上説明したように本考案に係る座椅子によれば、ニット材で全体的に覆ったあとファスナーを介して閉じられるように構成されているので、製作上の作業性もよく、すわり心地がよく、足を組んで座るあぐら座りもやり易く、軽量で持ち運びが容易で収納性の優れた座椅子を提供することができる。
【考案を実施するための最良の形態】
【００１０】  以下、図面に基づいて本考案を実施するための最良の形態について具体的に説明する。図面において、図１は本考案に係る座椅子Ａの全体斜視図である。図２は図１のＢ−Ｂ線の断面図である。図３は背もたれを座部方向に折りたたんだ斜視図である。【００１１】  座部２とベース３とは公知の回転機構（図示せず）を介して回転自在に取り付けられ、座部２のフレーム２０と背もたれ１のフレーム１０とは、それらの内部又は周囲に収納されたウレタン形成品２２と共にニット材２１で一体的に覆われている。【００１２】  ニット材で全体的に覆った後、ファスナー２４を介して閉じられるように構成される。図中、背もたれ１のファスナーは図示されていないが、座部２のファスナー２４と同様に閉じられるようになっている。【００１３】  該座部２のフレーム２０と背もたれ１のフレーム１０とは、公知の背もたれ傾斜角度調節機構（図示せず）によって連結され、背もたれ１の傾斜角度を調節することができるように構成されている。【００１４】  背もたれ１には図示せるような孔部１１が形成されており、該孔部１１に使用者の腕を通して座椅子Ａ全体を持ち運びし易く構成されている。【００１５】  座部２がベース３の回転機構３０を介して回転自在に構成され、座部２のフレーム２０と背もたれ１のフレーム１０とがニット材２１で覆われ、該座部２のフレーム２０には背もたれのフレーム１０が傾斜角度調節可能な機構（図示せず）が連結されており、座部２のフレーム２０上に構成されたウレタン形成品２２には凹部２３が形成され、低反発ウレタン２５が積層されている。【００１６】  不使用時には、ニット材２１の張力によって座部２の上面が外観的に平面をなすように構成されており、意匠上も優れた外観を呈しており、使用時には座部２のフレーム２０上に構成されたウレタン形成品の凹部２３に使用者の臀部が嵌まり込み、ニット材２１が伸びて使用者の臀部と低反発ウレタン２５を介して凹部２３に密着され使用者の座り心地を良好にしている。【００１７】  背もたれ１の横幅  ｌが座部２の横幅Ｌより小さく形成されているので、着座したとき背もたれ１は人体の腰部の中心に位置するようになっている。すなわち、背もたれ１の横幅  ｌが座部２の横幅Ｌより小さく形成されているため、着座する使用者が背もたれ１に背部を当てるように着座するので、おのずと姿勢を真っ直ぐにすることができる。【００１８】  背もたれ１の横幅  ｌを座部の横幅Ｌより小さく形成してあるので、不使用時に背もたれ１を座部２方向へ折りたたんだ時に、図３に示すように座部２の凹部２３に背もたれ１が収まり、収納効率を向上させることができる。
【図面の簡単な説明】
【００１９】
【図１】  本考案に係る座椅子の全体斜視図である。
【図２】  図１のＢ−Ｂ線の断面図である。
【図３】  背もたれを座部方向に折りたたんだ斜視図である。
【符号の説明】
【００２０】  Ａ．座椅子
１．背もたれ
１１．孔部
２．座部
２０．フレーム
２１．ニット材
２２．ウレタン形成品
２３．凹部
２４．ファスナー
２５．低反発ウレタン
３．ベース
３０．回転機構
３１．フレーム
３２．フレーム
ｌ．背もたれの横幅
Ｌ．座部の横幅
【図１】
0003123322.tif 000003
【図２】
0003123322.tif 000004
【図３】
0003123322.tif 000005